(57)【要約】【課題】さらなる薄型化に対応できる折畳式カメラ装置および折畳式携帯電話機を提供する。【解決手段】画像を撮像する光センサー部１１３を有する第１筐体１００Ａと、上記第１筐体１００Ａの光センサー部１１３に被写体の画像を投影するレンズ部１２２を有する第２筐体１００Ｂと、上記第１筐体１００Ａと第２筐体１００Ｂとを折り畳み可能に連結する連結部１００Ｃとを備える。そして、上記第１筐体１００Ａと第２筐体１００Ｂとを折り畳んだ状態で光センサー部１１３とレンズ部１２２とが重なり合うように、光センサー部１１３とレンズ部１２２とをそれぞれ配置する。【選択図】  図１
2004260676.tif 000002
【特許請求の範囲】
【請求項１】
画像を撮像する光センサー部を有する第１筐体と、
上記第１筐体の上記光センサー部に被写体の画像を投影するレンズ部を有する第２筐体と、
上記第１筐体と上記第２筐体とを回動自在に連結して、連結された上記第１筐体と上記第２筐体の折り畳みを可能にする連結部とを備えたことを特徴とする折畳式カメラ装置。
【請求項２】
請求項１に記載の折畳式カメラ装置において、
上記連結部により連結された上記第１筐体と上記第２筐体とを折り畳んだ状態で、上記光センサー部に上記レンズ部を介して被写体の画像が投影されるように上記光センサー部と上記レンズ部とが重なり合うことを特徴とする折畳式カメラ装置。
【請求項３】
請求項２に記載の折畳式カメラ装置において、
上記折り畳んだ状態で重なり合う上記レンズ部と上記光センサー部の互いの光軸が略一致することを特徴とする折畳式カメラ装置。
【請求項４】
請求項１に記載の折畳式カメラ装置において、
上記レンズ部は、レンズと、そのレンズを脱着可能とするレンズ脱着手段とを有することを特徴とする折畳式カメラ装置。
【請求項５】
請求項１に記載の折畳式カメラ装置において、
上記レンズ部は複数であって、その複数のレンズ部のうちの１または２以上を選択するレンズ選択手段を有することを特徴とする折畳式カメラ装置。
【請求項６】
表示側の第１筐体と操作側の第２筐体とが折り畳み可能に連結された折畳式携帯電話機において、
上記第１筐体または上記第２筐体のいずれか一方に画像を撮像する光センサー部を有すると共に、
上記第１筐体または上記第２筐体の他方に上記光センサー部に被写体の画像を投影するレンズ部を有することを特徴とする折畳式携帯電話機。
【請求項７】
請求項６に記載の折畳式携帯電話機において、
上記第１筐体に上記光センサー部を備え、
上記第２筐体に上記レンズ部を備えたことを特徴とする折畳式携帯電話機。
【請求項８】
請求項６に記載の折畳式携帯電話機において、
上記第１筐体の表示画面側と反対の側および上記第２筐体の操作面側と反対の側が向き合うように上記第１筐体と上記第２筐体とを折り畳んだ状態で、上記光センサー部に上記レンズ部を介して被写体の画像が投影されるように上記光センサー部と上記レンズ部とが重なり合うことを特徴とする折畳式携帯電話機。
【請求項９】
請求項８に記載の折畳式携帯電話機において、
上記折り畳んだ状態で重なり合う上記レンズ部と上記光センサー部の互いの光軸が略一致することを特徴とする折畳式携帯電話機。
【請求項１０】
請求項６に記載の折畳式携帯電話機において、
上記レンズ部は、レンズと、そのレンズを脱着可能とするレンズ脱着手段とを有することを特徴とする折畳式携帯電話機。
【請求項１１】
請求項６に記載の折畳式携帯電話機において、
上記レンズ部は複数であって、その複数のレンズ部のうちの１または２以上を選択するレンズ選択手段を有することを特徴とする折畳式携帯電話機。
【請求項１２】
請求項６または７に記載の折畳式カメラ装置において、
上記第１筐体の表示画面側と上記第２筐体の操作面側とが向き合うように上記第１筐体と上記第２筐体とを折り畳んだ状態で、上記光センサー部に上記レンズ部を介して被写体の画像が投影されるように上記光センサー部と上記レンズ部とが重なり合うことを特徴とする折畳式カメラ装置。
【請求項１３】
請求項１２に記載の折畳式カメラ装置において、
上記第１筺体と上記第２筺体のうちの上記光センサー部を有する筐体の上記光センサー部の受光面側と反対の側に設けられ、少なくとも上記光センサー部により撮影される被写体の画像を表示するサブ表示部を備えたことを特徴とする折畳式カメラ装置。
【請求項１４】
表示側の第１筐体と操作側の第２筐体とが折り畳み可能に連結された折畳式携帯電話機において、
上記第１筐体または上記第２筐体のいずれか一方に画像を撮像する第１光センサー部を有し、
上記第１筐体または上記第２筐体のいずれか他方に画像を撮像する第２光センサー部を有し、
上記第１筐体または上記第２筐体のいずれか一方に上記第２光センサー部に被写体の画像を投影する第２レンズ部を有し、
上記第１筐体または上記第２筐体のいずれか他方に上記第１光センサー部に被写体の画像を投影する第１レンズ部を有することを特徴とする折畳式携帯電話機。
【請求項１５】
請求項１４に記載の折畳式携帯電話機において、
上記第１筐体の表示画面側と反対の側および上記第２筐体の操作面側と反対の側が向き合うように上記第１筐体と上記第２筐体とを折り畳んだ状態で、上記第１光センサー部に上記第１レンズ部を介して被写体の画像が投影されるように上記第１光センサー部と上記第１レンズ部とが重なり合うと共に、上記第２光センサー部に上記第２レンズ部を介して被写体の画像が投影されるように上記第２光センサー部と上記第２レンズ部とが重なり合うことを特徴とする折畳式携帯電話機。
【請求項１６】
請求項１５に記載の折畳式携帯電話機において、
上記折り畳んだ状態で重なり合う上記第１レンズ部と上記第１光センサー部の互いの光軸が略一致すると共に、上記折り畳んだ状態で重なり合う上記第２レンズ部と上記第２光センサー部の互いの光軸が略一致することを特徴とする折畳式携帯電話機。
【請求項１７】
請求項１４に記載の折畳式携帯電話機において、
上記第１レンズ部は、第１レンズと、その第１レンズを脱着可能とする第１レンズ脱着手段とを有し、
上記第２レンズ部は、第２レンズと、その第２レンズを脱着可能とする第２レンズ脱着手段とを有することを特徴とする折畳式携帯電話機。
【請求項１８】
請求項１４に記載の折畳式携帯電話機において、
上記第１筐体の表示画面側と上記第２筐体の操作面側とが向き合うように上記第１筐体と上記第２筐体とを折り畳んだ状態で、上記第１光センサー部に上記第１レンズ部を介して被写体の画像が投影されるように上記第１光センサー部と上記第１レンズ部とが重なり合い、かつ、上記第２光センサー部に上記第２レンズ部を介して被写体の画像が投影されるように上記第２光センサー部と上記第２レンズ部とが重なり合うことを特徴とする折畳式携帯電話機。
【請求項１９】
請求項１８に記載の折畳式携帯電話機において、
上記第１光センサー部または上記第２光センサー部の受光面側と反対の側の筐体に設けられ、少なくとも上記第１光センサー部または上記第２光センサー部により撮影される被写体の画像を表示するサブ表示部を備えたことを特徴とする折畳式携帯電話機。
【請求項２０】
請求項１８に記載の折畳式携帯電話機において、
上記折り畳んだ状態で重なり合う上記第１レンズ部と上記第１光センサー部の互いの光軸が略一致し、上記折り畳んだ状態で重なり合う上記第２レンズ部と上記第２光センサー部の互いの光軸が略一致することを特徴とする折畳式携帯電話機。
【発明の詳細な説明】
【０００１】
【発明の属する技術分野】
この発明は、カメラ機能を備えた折畳式カメラ装置および折畳式携帯電話機に関する。
【０００２】
【従来の技術】
カメラ機能を備えた従来の折畳式携帯電話機においては、レンズ部と光センサー部が一体に形成されたカメラユニットの取扱いが簡便であるので、折畳式携帯電話機の表示側の第１筐体または操作側の第２筐体のいずれか一方にのみカメラユニットが組み込まれている。
【０００３】
従来の折畳式カメラ装置としては、図８に示すように、本体側筐体ＡとＬＣＤ側筐体Ｂが回動部Ｃを介して回動自在に連結して一体に構成され、カメラユニットＤが操作側の第２筐体Ａにのみ組み込まれた折畳式携帯電話機がある（例えば、特許文献１参照）。
【０００４】
また、従来の他の折畳式カメラ装置としては、図９に示すように、表示部１０Ａと操作部１０Ｂとがヒンジユニット２１を介して回転可能に連結されており、カメラユニット２５が表示部１０Ａにのみ組み込まれた折畳式携帯電話機がある（例えば、特許文献２参照）。
【０００５】
【特許文献１】
特開２００２−１１１８３４号公報
【特許文献２】
特開２００２−１８５５８９号公報
【０００６】
【発明が解決しようとする課題】
しかしながら、図８，図９に示す折畳式携帯電話機では、カメラユニットＤ，２５を搭載した筐体の厚さは、レンズと光センサー部との焦点距離（約４ｍｍ）で決まるため、折畳式携帯電話機のさらなる薄型化の要望に対応できないという問題がある。また、上記折畳式携帯電話機では、一体形成されたカメラユニット機構であるため、通常の撮影、望遠撮影、接写撮影などに応じたレンズ交換ができないという問題もある。
【０００７】
そこで、この発明の目的は、さらなる薄型化に対応できる折畳式カメラ装置および折畳式携帯電話機を提供することにある。
【０００８】
また、この発明のもう１つ目的は、上記折畳式カメラ装置および折畳式携帯電話機において、接写撮影，望遠撮影等の様々な撮影要求に対応するレンズ交換が可能な折畳式カメラ装置および折畳式携帯電話機を提供することにある。
【０００９】
【課題を解決するための手段】
上記目的を達成するため、この発明の折畳式カメラ装置は、画像を撮像する光センサー部を有する第１筐体と、上記第１筐体の光センサー部に被写体の画像を投影するレンズ部を有する第２筐体と、上記第１筐体と第２筐体とを回動自在に連結して、連結された第１筐体と第２筐体の折り畳みを可能にする連結部とを備える。
【００１０】
上記構成の折畳式カメラ装置によれば、搭載するカメラユニットのレンズ部と光センサー部を表示側の第１筐体と操作側の第２筐体に分離でき、レンズ部と光センサー部とが一体構成のカメラユニットを搭載した従来の折畳式携帯電話機等の折畳式カメラ装置に比べて厚みを薄くでき、さらなる薄型化に対応できる。なお、上記レンズ部と光センサー部は１組に限らず、複数組あってもよい。
【００１１】
また、一実施形態の折畳式カメラ装置は、上記連結部により連結された第１筐体と第２筐体とを折り畳んだ状態で、上記光センサー部にレンズ部を介して被写体の画像が投影されるように光センサー部とレンズ部とを重なり合わせる。
【００１２】
上記実施形態の折畳式カメラ装置によれば、上記連結部により連結された上記第１筐体と上記第２筐体とを折り畳むことによって光センサー部とレンズ部が組み合わされ、カメラユニットとして機能するので、画像を撮像できる。
【００１３】
また、一実施形態の折畳式カメラ装置は、上記折り畳んだ状態で重なり合うレンズ部と光センサー部の互いの光軸が略一致する。
【００１４】
上記実施形態の折畳式カメラ装置によれば、カメラユニットとして機能するレンズ部と光センサー部の互いの光軸を略一致させることによって、ピントの合った画像を撮像できる。
【００１５】
また、一実施形態の折畳式カメラ装置は、上記レンズ部は、レンズと、そのレンズを脱着可能とするレンズ脱着手段とを有する。
【００１６】
上記実施形態の折畳式カメラ装置によれば、必要に応じてレンズ部のレンズのみを交換することが可能となり、従来の標準的なレンズに加えて種々のレンズを用いることによって、接写撮影，望遠撮影等の様々な撮影要求に対応することができる。
【００１７】
また、一実施形態の折畳式カメラ装置は、上記レンズ部は複数であって、その複数のレンズ部のうちの１または２以上を選択するレンズ選択手段を有する。
【００１８】
上記実施形態の折畳式カメラ装置によれば、必要に応じて複数のレンズ部のうちの１または２以上を選択することにより光学特性の切替が可能となり、従来の標準的なレンズに加えて種々のレンズを用いることによって、接写撮影，望遠撮影等の様々な撮影要求に対応することができる。
【００１９】
また、この発明の折畳式携帯電話機は、表示側の第１筐体と操作側の第２筐体とが折り畳み可能に連結された折畳式携帯電話機において、第１筐体または第２筐体のいずれか一方に画像を撮像する光センサー部を有すると共に、第１筐体または第２筐体の他方に光センサー部に被写体の画像を投影するレンズ部を有する。
【００２０】
上記構成の折畳式携帯電話機によれば、搭載するカメラユニットのレンズ部と光センサー部の夫々を表示側の第１筐体と操作側の第２筐体に分離でき、レンズ部と光センサー部とが一体構成のカメラユニットを搭載した従来の折畳式携帯電話機に比べて厚みを薄くでき、さらなる薄型化に対応できる。なお、上記レンズ部と光センサー部は１組に限らず、複数組あってもよい。
【００２１】
また、一実施形態の折畳式携帯電話機は、上記第１筐体に光センサー部を備え、上記第２筐体にレンズ部を備える。
【００２２】
上記実施形態の折畳式携帯電話機によれば、表示側の第１筐体に光センサー部を備え、操作側に第２筐体にレンズ部を備えるので、上記第１筐体の表示画面側および上記第２筐体の操作面側が向き合うように第１筐体と第２筐体とを折り畳んだ状態（携帯電話として使用しない収納状態）にすることで、第２筐体の操作面と反対の側から外方に対してレンズ部を向けて撮影することが可能となる。一方、上記第１筐体の表示画面側と反対の側および第２筐体の操作面側と反対の側が向き合うように第１筐体と第２筐体とを逆に折り畳んだ状態にすることで、第２筐体の操作面側から外方に対してレンズ部を向けて撮影することが可能となる。
【００２３】
また、一実施形態の折畳式携帯電話機は、上記第１筐体の表示画面側と反対の側および第２筐体の操作面側と反対の側が向き合うように第１筐体と第２筐体とを折り畳んだ状態で、光センサー部にレンズ部を介して被写体の画像が投影されるように光センサー部とレンズ部とを重なり合わせる。
【００２４】
上記第１筐体の表示画面側および第２筐体の操作面側が向き合うように第１筐体と第２筐体とを折り畳んだ状態（携帯電話として使用しない収納状態）では、例えば液晶表示器の表示画面を傷つけないように閉じている。これに対して、上記実施形態の折畳式携帯電話機によれば、第１筐体の表示画面側と反対の側および第２筐体の操作面側と反対の側が向き合うように第１筐体と第２筐体とを逆に折り畳んだ状態にすることによって、カメラ使用時のみ表示画面を表側に出して、その表示画面で撮影する被写体の画像を容易に確認することが可能となる。
【００２５】
また、一実施形態の折畳式携帯電話機は、上記折り畳んだ状態で重なり合うレンズ部と光センサー部の互いの光軸が略一致する。
【００２６】
上記実施形態の折畳式携帯電話機によれば、カメラユニットとして機能するレンズ部と光センサー部の互いの光軸を略一致させることによって、ピントの合った画像を撮像できる。
【００２７】
また、一実施形態の折畳式携帯電話機は、上記レンズ部は、レンズと、そのレンズを脱着可能とするレンズ脱着手段とを有する。
【００２８】
上記実施形態の折畳式携帯電話機によれば、必要に応じてレンズ部のレンズのみを交換することが可能であり、従来の標準的なレンズに加えて種々のレンズを用いることによって、接写撮影，望遠撮影等の様々な撮影要求に対応することが可能となるという効果が得られる。
【００２９】
また、一実施形態の折畳式携帯電話機は、上記レンズ部は複数であって、その複数のレンズ部のうちの１または２以上を選択するレンズ選択手段を有する。
【００３０】
上記実施形態の折畳式携帯電話機によれば、必要に応じて複数のレンズ部のうちの１または２以上を選択することによって、従来の標準的なレンズに加えて種々のレンズを用いることによって、接写撮影，望遠撮影等の様々な撮影要求に対応することが可能となるという効果が得られる。
【００３１】
また、一実施形態の折畳式携帯電話機は、上記第１筐体の表示画面側と第２筐体の操作面側とが向き合うように第１筐体と第２筐体とを折り畳んだ状態で、光センサー部にレンズ部を介して被写体の画像が投影されるように光センサー部とレンズ部とを重なり合わせる。
【００３２】
上記実施形態の折畳式携帯電話機によれば、上記第１筐体の表示画面側と第２筐体の操作面側とが向き合うように第１筐体と第２筐体とを折り畳んだ状態（携帯電話機能を使用しない収納状態）で重なり合う光センサー部とレンズ部によって被写体の撮影ができる。また、折り畳んだ状態であるため、従来のくの字状に開いた状態よりも本体を持つ手の位置とカメラの位置がより近くなって撮像時のぶれを低減でき、撮影時に本体をコンパクト化することで片手でも撮像操作が容易にできる。
【００３３】
また、一実施形態の折畳式携帯電話機は、上記第１筺体と第２筺体のうちの光センサー部を有する筐体の光センサー部の受光面側と反対の側に設けられたサブ表示部によって、少なくとも光センサー部により撮影される被写体の画像を表示する。
【００３４】
上記実施形態の折畳式携帯電話機によれば、上記第１筐体の表示画面側および第２筐体の操作面側が向き合うように第１筐体と第２筐体とを折り畳んだ状態であっても、サブ表示部によって撮影する被写体の画像を確認することができる。
【００３５】
また、この発明の折畳式携帯電話機は、表示側の第１筐体と操作側の第２筐体とが折り畳み可能に連結された折畳式携帯電話機において、第１筐体または第２筐体のいずれか一方に画像を撮像する第１光センサー部を有し、第１筐体または第２筐体のいずれか他方に画像を撮像する第２光センサー部を有し、第１筐体または第２筐体のいずれか一方に第２光センサー部に被写体の画像を投影する第２レンズ部を有し、第１筐体または第２筐体のいずれか他方に第１光センサー部に被写体の画像を投影する第１レンズ部を有する。
【００３６】
上記構成の折畳式携帯電話機によれば、搭載するカメラユニットのレンズ部と光センサー部の夫々を表示側の第１筐体と操作側の第２筐体に分離でき、レンズ部と光センサー部とが一体構成のカメラユニットを搭載した従来の折畳式携帯電話機に比べて厚みを薄くでき、さらなる薄型化に対応できる。また、２つの異なる方向を向いたカメラを搭載しながら携帯電話機を薄型化できるという効果がある。
【００３７】
また、一実施形態の折畳式携帯電話機は、上記第１筐体の表示画面側と反対の側および第２筐体の操作面側と反対の側が向き合うように第１筐体と第２筐体とを折り畳んだ状態で、第１光センサー部に第１レンズ部を介して被写体の画像が投影されるように第１光センサー部と第１レンズ部とを重なり合わせると共に、第２光センサー部に第２レンズ部を介して被写体の画像が投影されるように第２光センサー部と第２レンズ部とを重なり合わせる。
【００３８】
上記実施形態の折畳式携帯電話機によれば、上記連結部により連結された上記第１筐体と上記第２筐体とを折り畳むことによって、第１光センサー部と第１レンズ部が組み合わされ、カメラユニットとして機能すると共に、第２光センサー部と第２レンズ部が組み合わされ、カメラユニットとして機能するので、２つの異なる方向の被写体の画像を撮像できる。
【００３９】
また、一実施形態の折畳式携帯電話機は、上記折り畳んだ状態で重なり合う第１レンズ部と第１光センサー部の互いの光軸が略一致すると共に、折り畳んだ状態で重なり合う第２レンズ部と第２光センサー部の互いの光軸が略一致する。
【００４０】
上記実施形態の折畳式携帯電話機によれば、カメラユニットとして機能する第１レンズ部と第１光センサー部の互いの光軸を略一致させると共に、カメラユニットとして機能する第２レンズ部と第２光センサー部の互いの光軸を略一致させることによって、ピントの合った画像を撮像できる。
【００４１】
また、一実施形態の折畳式携帯電話機は、上記第１レンズ部は、第１レンズと、その第１レンズを脱着可能とする第１レンズ脱着手段とを有し、上記第２レンズ部は、第２レンズと、その第２レンズを脱着可能とする第２レンズ脱着手段とを有する。
【００４２】
上記実施形態の折畳式携帯電話機によれば、必要に応じて第１，第２レンズ部のレンズのみを交換することが可能となり、従来の標準的なレンズに加えて種々のレンズを用いることによって、接写撮影，望遠撮影等の様々な撮影要求に対応することができる効果が得られる。
【００４３】
また、一実施形態の折畳式携帯電話機は、上記第１筐体の表示画面側と第２筐体の操作面側とが向き合うように第１筐体と第２筐体とを折り畳んだ状態で、第１光センサー部に第１レンズ部を介して被写体の画像が投影されるように第１光センサー部と第１レンズ部とを重なり合わせると共に、第２光センサー部に第２レンズ部を介して被写体の画像が投影されるように第２光センサー部と第２レンズ部とを重なり合わせる。
【００４４】
上記実施形態の折畳式携帯電話機によれば、上記第１筐体の表示画面側と第２筐体の操作面側とが向き合うように第１筐体と第２筐体とを折り畳んだ状態（携帯電話器を使用しない収納状態）でそれぞれ重なり合う第１光センサー部と第１レンズ部および第２光センサー部と第２レンズ部によって被写体の撮影ができる。また、折り畳んだ状態であるため、従来のくの字状に開いた状態よりも本体を持つ手の位置とカメラの位置がより近くなって撮像時のぶれを低減でき、撮影時に本体をコンパクト化することで片手でも撮像操作が容易にできる。
【００４５】
また、一実施形態の折畳式携帯電話機は、上記第１光センサー部または第２光センサー部の受光面側と反対の側の筐体に設けられたサブ表示部によって、少なくとも第１光センサー部または第２光センサー部により撮影される被写体の画像を表示する。
【００４６】
上記実施形態の折畳式携帯電話機によれば、上記第１筐体の表示画面側および第２筐体の操作面側が向き合うように第１筐体と第２筐体とを折り畳んだ状態であっても、サブ表示部によって撮影する被写体の画像を確認することができる。
【００４７】
また、一実施形態の折畳式携帯電話機は、上記折り畳んだ状態で重なり合う第１レンズ部と第１光センサー部の互いの光軸が略一致し、折り畳んだ状態で重なり合う第２レンズ部と第２光センサー部の互いの光軸が略一致する。
【００４８】
上記実施形態の折畳式携帯電話機によれば、カメラユニットとして機能する第１レンズ部と第１光センサー部の互いの光軸を略一致させると共に、カメラユニットとして機能する第２レンズ部と第２光センサー部の互いの光軸を略一致させることによって、ピントの合った画像を撮像できる。
【００４９】
【発明の実施の形態】
以下、この発明の折畳式カメラ装置および折畳式携帯電話機を図示の実施の形態により詳細に説明する。
【００５０】
（第１実施形態）
図１は、この発明の第１実施形態の折畳式カメラ装置を用いた折畳式携帯電話機の開状態および閉状態（撮像時）における側面断面図である。
【００５１】
この折畳式携帯電話機は、図１に示すように、表示機能を備えた第１筐体１００Ａと、操作機能を備えた第２筐体１００Ｂと、上記第１筐体１００Ａと第２筐体１００Ｂを回転自在に連結する連結部１００Ｃとを備えている。上記連結部１００Ｃのヒンジユニット（図示せず）を介して第１筐体１００Ａと第２筐体１００Ｂとを回転可能かつ折り畳み可能に連結している。
【００５２】
また、上記第１筐体１００Ａの表面側に液晶あるいは有機ＥＬ等を用いた表示部１１０を配置し、その表示部１１０の表示画面の上側（連結部１００Ｃと反対の側）にカメラユニットの一部を構成する光センサー部１１３を配置している。この光センサー部１１３は、光センサー部１１４と画像データ処理素子１１５を備え、後述のレンズ部１２２と一体にすることでカメラユニットとして機能する。
【００５３】
なお、上記光センサー素子１１４は、撮像対象（被写体）から発する光をレンズ部１２２を介して受光して電気信号に変換する。また、画像データ処理素子１１５は、撮像した画像データを、表示用画像データ，記憶用画像データ，拡大用画像データ等に処理するための素子である。
【００５４】
一方、上記第２筐体１００Ｂの表面（操作面）側に携帯電話機操作部１２１を配置している。その携帯電話機操作部１２１の内部に、図示しないキーシートや操作部基板を実装している。また、上記第２筐体１００Ｂ内にレンズ部１２２を配置している。上記第２筐体部１００Ｂの表面側および裏面側にレンズ部１２２のレンズ面の少なくとも一部が露出することにより光を通すことができる。なお、第２筐体１００Ｂは、バッテリーを着脱可能に収納する収納部（図示せず）を有してもよい。
【００５５】
ここで、第１筐体１００Ａの表面側（表示部１１０を備える表示画面側）と第２筐体１００Ｂの表面側（携帯電話機操作部１２１を備える操作面側）とが向かい合う側に折り曲げた状態を、順方向に折り曲げた状態とする（図２参照）。
【００５６】
また、上記第１筐体１００Ａの裏面側（表示部１０を備える面の裏面）と第２筐体１００Ｂの裏面側（携帯電話機操作部２１を備える面の裏面）とが向かい合うように折り畳んだ状態を、逆方向に折り畳んだ状態とする（図１参照）。
【００５７】
次に、この第１実施形態の折畳式携帯電話機の使用態様を説明する。
【００５８】
上記折畳式携帯電話機を電話機として使用する場合は、表示部１１０側と携帯電話機操作部１２１側が向かい合う方向に、第１筐体１００Ａと第２筐体１００Ｂの少なくとも一方を連結部１００Ｃを介して回動させて、くの字状に折り曲げる（図２参照）。そうして、手元の携帯電話機操作部１２１を操作しつつ、表示部１１０の表示内容を確認する。
【００５９】
一方、折畳式携帯電話機をカメラとして使用する場合は、上記くの字の内側の表示部１１０側と携帯電話機操作部１２１側が外側を向くように、第１筐体１００Ａと第２筐体１００Ｂの少なくとも一方を第１筐体１００Ａの裏面と第２筐体１００Ｂの裏面が接するまで連結部１００Ｃを介して回動させて、折り畳む（逆方向に折り畳む）。この折り畳んだ状態において、上記光センサー部１１４とレンズ部１２２が重なり合うように、光センサー部１１４とレンズ部１２２を夫々配置して、カメラユニットとして組み合わされた光センサー部１１４とレンズ部１２２により画像を撮像できる。なお、上記光センサー部１１４とレンズ部１２２は、互いの光軸が略一致するように配置されているのが望ましい。そうすることによって、ピントの合った画像を撮像できる。
【００６０】
逆方向に折り畳んだ状態において、レンズ部１２２を被写体に向け、表示部１１０を手前に位置するように構え、上記表示部１１０に表示された被写体の画像が所望の画像である場合は、第１筐体１００Ａの裏面側に備えられたカメラ操作部１１１を操作して撮像する。そうして、光センサー部１１４とレンズ部１２２により撮像された画像データは、折畳式携帯電話機内部に備えられた不揮発性メモリ部（図示せず）に記憶される。
【００６１】
なお、レンズ部１２２は第２筐体１００Ｂに収納される構造で、レンズ部１２２の厚みは第２筐体１００Ｂ本来の厚み以下である構造であるので、レンズ部１２２の厚みは第２筐体１００Ｂに吸収される。したがって、図８に示す従来の折畳式携帯電話機に比べて操作側の第２筐体１００Ｂの厚みを低減できる。また、図９に示す従来の折畳式携帯電話機に比べて表示側の第１筐体１００Ａの厚みを薄くすることができる。つまり、この第１実施形態では、折畳式携帯電話機のさらなる薄型化できるという効果がある。
【００６２】
また、上記第１筐体１００Ａの表示画面側と反対の側および第２筐体１００Ｂの操作面側と反対の側が向き合うように第１筐体１００Ａと第２筐体１００Ｂとを逆に折り畳んだ状態にすることによって、カメラ使用時に表示部１１０の表示画面で撮影する被写体の画像を容易に確認することが可能となる。
【００６３】
また、上記レンズ部１２２を第２筐体１００Ｂに容易に脱着可能とするレンズ脱着手段の一例として、例えばレンズ部１２２および第２筐体１００Ｂに一対の螺旋を構成する機構を第２筐体１００Ｂに設けることも可能である。または、レンズ選択手段の一例として、複数のレンズ部のうちから選択されたレンズ部のみスライドさせてカメラ性能を変えられる機構を設けることも可能である。この場合、望遠撮影や接写撮影などの様々な撮影用途のレンズを備えることができるので、撮像範囲を広げることができる。
【００６４】
また、従来では、くの字状に折り曲げた状態でカメラとして使用する必要があるが、この発明では、折り畳んだ状態でカメラとして使用できる。その結果、従来のくの字状に開いた状態よりも本体を持つ手の位置とカメラの位置がより近くなって撮像時のぶれを低減でき、さらに、折り畳んだ状態であるため、従来に比べて小型化が可能であり、片手でも撮影操作が可能である。
【００６５】
なお、この第１実施形態では、カメラ操作部１１１を表示画面の下側に設けたが、表示部１１０表面のタッチパネル形式のスイッチをカメラ操作部として利用してもよい。この場合、部品点数が低減できると共に、操作面が滑らかになるという効果がある。
【００６６】
さらに、カメラ操作部１１１を第１筐体１００Ａの下部側端部（側面の連結部１００Ｃ近傍）に設けてもよい。この場合は、片手撮影が一層容易となる。
【００６７】
また、上記光センサー部１１３は、逆方向に折り畳んだ状態でレンズ部１２２と光軸が略一致するように配置されており、光センサー部１１３とレンズ部１２２でカメラユニットを構成している。
【００６８】
なお、この第１実施形態では、光センサー部１１３は、光センサー素子１１４と画像データ処理素子１１５を実装基板１１６に備えた構成としているが、光センサー素子と画像データ処理素子をＣＭＯＳイメージセンサー等で１チップ化した場合や、光センサー素子と画像データ処理素子をチップスタック技術により一体化して１素子とした場合は、折畳式携帯電話機を一層薄くすることができる。
【００６９】
図２はこの第１実施形態の折畳式携帯電話機の開状態（通話時）における側面断面図である。なお、この実施形態の折畳式携帯電話機の光センサー部およびレンズ部は、筐体の中央部を避ける位置に配置されており、折畳式携帯電話機の通話操作には全く障害にならない。
【００７０】
また、図３（ａ）は、この第１実施形態の折畳式携帯電話機の開状態においてカメラユニットを使用していない状態を模式的に示した外観斜視図である。上記表示部１１０の表示画面上側の第１筐体１００Ａ端面の左端（図３（ａ）の表側の左上側）近傍にアンテナ（図示せず）を備えている。上記表示部１１０の表示画面下側の筐体端面の左端近傍にはシャッター操作や動作モード設定などのカメラ操作部１１１を備えている。
【００７１】
また、図３（ｂ）は、この第１実施形態の折畳式携帯電話機の閉状態におけるカメラを使用する状態を模式的に示した外観斜視図である。図３（ｃ）は、図３（ｂ）に示した閉状態における上記折畳式携帯電話機のカメラユニット部分の断面図である。
【００７２】
（第２実施形態）
図４は、この発明の第２実施形態の折畳式カメラ装置を用いた折畳式携帯電話機の閉状態（撮像時）における側面断面図である。閉状態とは電話機として使用しないとき、メイン液晶・キーパットを内側にして閉じている収納状態であり、順方向に折り畳んだ状態を示している。
【００７３】
この折畳式携帯電話機は、操作機能を備えた第１筐体２００Ａと、表示機能を備えた第２筐体２００Ｂと、上記第１筐体２００Ａと上記第２筐体２００Ｂを回動自在に連結する連結部２００Ｃとを備えている。上記第１筐体２００Ａは、連結部２００Ｃに備えられたヒンジユニット（図示せず）を介して第２筐体２００Ｂと回動自在に連結されている。
【００７４】
また、上記第１筐体２００Ａの表面側に、液晶（サブ液晶）あるいは有機ＥＬ等を用いたサブ表示部２１０とカメラ操作部２１１を配置し、第１筐体２００Ａの裏面側に携帯電話機操作部２２１を配置している。上記サブ表示部２１０の表示画面の上側（連結部２００Ｃと反対の側）にカメラユニットの一部を構成する光センサ−部２１３を配置している。上記光センサー部２１３は、実装基板２１６に実装された光センサー部２１４と画像データ処理素子２１５を備え、レンズ部２２２と一体にすることでカメラユニットとして機能する。上記サブ表示部２１０の表示画面の下側（連結部２００Ｃ近傍）に、シャッター操作や動作モード設定などを行うためのカメラ操作部２１１を配置している。
【００７５】
なお、光センサー素子２１４は、被写体から発する光をレンズ部２２２を介して受光して電気信号に変換する。また、画像データ処理素子２１５は、撮像した画像データを、表示用画像データ，記憶用画像データ，拡大用画像データ等に処理するための素子である。
【００７６】
また、上記第２筐体２００Ｂ内にレンズ部２２２を配置し、第２筐体２００Ｂの裏面側にメイン表示部２１２を配置している。上記第２筐体部２００Ｂの表面側および裏面側にレンズ部２２２のレンズ面の少なくとも一部が露出することにより光を通すことができる。また、光センサー部２１３はレンズ部２２２からの光以外は遮光されていなければならないため、第１筐体２００Ａと第２筐体２００Ｂは完全に閉じている必要がある。
【００７７】
次に、この第２実施形態の折畳式携帯電話機の使用態様を説明する。
【００７８】
上記折畳式携帯電話機を電話機として使用する場合は、図５に示すように、第２筐体２００Ｂのメイン表示部２１２側と第１筐体２００Ａの携帯電話機操作部２２１側とが向き合う方向に、第１筐体２００Ａと第２筐体２００Ｂの少なくとも一方を連結部２００Ｃを介して回転させてくの字状に折り曲げる（順方向に折り折り曲げ）。そして、手元の携帯電話機操作部２２１を操作しつつ、表示部２１２の表示内容を確認する。
【００７９】
一方、上記折畳式携帯電話機をカメラとして使用する場合は、図４に示すように、第２筐体２００Ｂのメイン表示部２１２と第１筐体２００Ａの携帯電話機操作部２２１とが向き合うように完全に折り畳み（順方向に完全に折り畳み）、レンズ部２２２を被写体に向け、サブ表示部２１０を手前に位置するように構え、上記表示部２１０に表示された被写体が所望の画像である場合は、第１筐体２００Ａの裏面側に備えられたカメラ操作部２１１を操作して撮像する。そうして撮像された画像データは、折畳式携帯電話機内部に備えられた不揮発性メモリ部（図示せず）に記憶される。
【００８０】
なお、上記レンズ部２２２は、第２筐体２００Ｂに収納される構造であり、レンズ部２２２の厚みが第２筐体２００Ｂ本来の厚み以下であるので、レンズ部２２２の厚みは第２筐体２００Ｂに吸収される。したがって、図９に示す従来の折畳式携帯電話機に比べて表示側の第２筐体２００Ｂの厚みを低減できる。また、図８に示す従来の折畳式携帯電話機に比べて操作側の第１筐体２００Ａの厚みを低減できる。つまり、折畳式携帯電話機のさらなる薄型化できるという効果がある。
【００８１】
また、上記レンズ部２２２を第２筐体２００Ｂに容易に脱着可能とするレンズ脱着手段の一例として、例えばレンズ部２２２および第２筐体２００Ｂに一対の螺旋を構成する機構を第２筐体２００Ｂに設けることも可能である。または、レンズ選択手段の一例として、複数のレンズ部のうちから選択されたレンズ部のみスライドさせてカメラ性能を変えられる機構を第２筐体２００Ｂに設けることも可能である。この場合、望遠撮影，接写撮影などの様々な撮影用途のレンズを備えることができるので、撮像範囲を広げることができる。
【００８２】
また、従来では、くの字状に折り曲げた状態でカメラとして使用する必要があるが、この発明の折畳式携帯電話機では、折り畳んだ状態（使用していない状態）でカメラとして使用できる。その結果、従来のくの字状に開いた状態よりも本体を持つ手の位置とカメラの位置がより近くなって撮像時のぶれを低減でき、さらに、従来に比べて、折り畳んだ状態であるため、コンパクト化が可能であり、片手でも撮像操作は可能である。
【００８３】
なお、この第２実施形態では、カメラ操作部２１１を表示画面下部に設けたが、サブ表示部２１０表面のタッチパネル形式のスイッチをカメラ操作部として利用してもよい。この場合、部品点数が低減できると共に、操作面が滑らかになるという効果がある。
【００８４】
さらに、カメラ操作部２１１を第１筐体２００Ａの下部側端部（側面の連結部１００Ｃ近傍）に設けてもよい。この場合は、片手撮影が一層容易となる。
【００８５】
また、上記光センサー部２１３は、順方向に折り畳んだ状態でレンズ部２２２と光軸が略一致するように配置されており、光センサー部２１３とレンズ部２２２でカメラユニットを構成している。このように光センサー部とレンズ部を組み合わせて互いの光軸を略一致させることによって、ピントの合った画像を撮像できる。
【００８６】
また、上記第１筐体２００Ａの表示画面側および第２筐体２００Ｂの操作面側が向き合うように第１筐体２００Ａと第２筐体２００Ｂとを折り畳んだ状態であっても、サブ表示部２１０によって撮影する被写体の画像を確認することができる。
【００８７】
なお、この第２実施形態では、光センサー部２１３は、光センサー素子２１４と画像データ処理素子２１５を実装基板２１６に備えて構成されているが、光センサー素子と画像データ処理素子をＣＭＯＳイメージセンサー等で１チップ化した場合や、光センサー素子と画像データ処理素子をチップスタック技術により一体化して１素子とした場合は、折畳式携帯電話機を一層薄くすることができる。
【００８８】
（第３実施形態）
図６は、この発明の第３実施形態の折畳式携帯電話機の逆折り畳み状態（閉状態）における側面断面図である。逆折り畳み状態（閉状態）とは、メイン液晶・携帯電話機操作部（キーパット）を外側にして閉じている状態を示している。
【００８９】
この折畳式携帯電話機は、表示部３１２（メイン液晶），カメラ操作部３１１を備えた第１筐体３００Ａと、携帯電話機操作部３２１（キーパット）を備えた第２筐体３００Ｂと、上記第１筐体３００Ａと第２筐体３００Ｂを回転自在に連結する連結部３００Ｃとを備えている。上記第１筐体３００Ａは、連結部３００Ｃに備えられたヒンジユニット（図示せず）を介して第２筐体３００Ｂと回転可能に連結されている。
【００９０】
また、上記第１筐体３００Ａの表面側に普段使用する表示部３１２（メイン液晶）を配置し、表示部３１２の表示画面の上側（連結部３００Ｃと反対の側）に第２レンズ部３２２Ｂを配置し、表示部３１２の表示画面の下側（連結部３００Ｃ側）に第１光センサー部３１３Ａを配置している。一方、上記第２筐体３００Ｂは、携帯電話器操作部３２１の上側（連結部３００Ｃ側）に第１レンズ部３２２Ａを配置し、携帯電話器操作部３２１の下側（連結部３００Ｃと反対の側）に第２光センサー部３１３Ｂを配置している。
【００９１】
上記第１光センサー部３１３Ａは、第１光センサー素子３１４Ａと第１画像データ処理素子３１５Ａを備え、第１レンズ部３２２Ａと一体にすることで第１カメラ３０１として機能する。また、上記第２光センサー部３１３Ｂは、第２光センサー素子３１４Ｂと第２画像データ処理素子３１５Ｂを備え、第２レンズ部３２２Ｂと一体にすることで第２カメラ３０２として機能する。上記表示部３１２の表示画面の下側（連結部３００Ｃ近傍）にシャッター操作や動作モード設定などのカメラ操作部３１１を備えている。
【００９２】
なお、上記第１，第２光センサー素子３１４Ａ，３１４Ｂは、撮像対象（被写体）から発する光を受光して電気信号に変換する。また、第１，第２画像データ処理素子３１５Ａ，３１５Ｂは、撮像した画像データを、表示用画像データ，記憶用画像データ，拡大用画像データ等に画像データ処理するための素子である。
【００９３】
また、上記第１レンズ部３２２Ａは、上記第２筐体部３００Ｂの表面側および裏面側に第１レンズ部３２２Ａのレンズ面の少なくとも一部が露出することにより光を通すことができる。上記第２レンズ部３２２Ｂは、上記第１筐体部３００Ａの表面側および裏面側に第２レンズ部３２２Ｂのレンズ面の少なくとも一部が露出することにより光を通すことができる。また、第１，第２光センサー部３１３２Ａ，３１３Ｂは、第１，第２レンズ部３２２Ａ，３２２Ｂからの光以外遮光されていなければならないため、第１筐体３００Ａと第２筐体３００Ｂは完全に閉じている必要がある。
【００９４】
次に、この第３実施形態の折畳式形態電話機の使用態様を図６を用いて説明する。
【００９５】
まず、表示部３１２（メイン液晶）を外側にして折り畳むことにより、第１光センサー部３１３Ａと第１レンズ部３２２Ａとを一体にすることでカメラユニットとして機能し、第２光センサー部３１３Ｂと第２レンズ部３２２Ｂとを一体にすることでカメラユニットとして機能する。次に、カメラ操作部３１１の操作により第１カメラ３０１を動作状態にして、第１レンズ部３２２Ａを撮像対象に向ける。上記表示部３１２（メイン液晶）を手前に位置するように構え、上記表示部３１２（メイン液晶）に表示された撮像画像が所望の画像である場合は、第１筐体３００Ａの裏面側に備えられたカメラ操作部３１１を操作して撮像する。これは第１カメラ３０１を使って撮像したということである。そして、撮像された画像データは、携帯電話機内部に備えられた不揮発性メモリ部（図示せず）に記憶される。
【００９６】
同じようにカメラ操作部３１１により第２カメラ３０２を動作状態にして第２レンズ部３２２Ｂを撮像対象（今回は手前）に向ける。上記表示部３１２（メイン液晶）に表示された撮像画像が所望の画像である場合は、上記と同じように第１筐体３００Ａの裏面側に備えられたカメラ操作部３１１を操作し撮像する。これは第２カメラ３０２を使って撮像したということである。
【００９７】
なお、第１，第２レンズ部３２２Ａ，３２２Ｂはそれぞれ第２筐体３００Ｂ，第１筐体３００Ａに収納される構造で、第１，第２レンズ部３２２Ａ，３２２Ｂの厚みは筐体部本来の厚み以下である構造であるので、第１レンズ部３２２Ａの厚みは第２筐体３００Ｂに吸収され、第２レンズ部３２２Ｂの厚みは，第１筐体３００Ａに吸収される。したがって、図８，図９に示す折畳式携帯電話機に比べて筐体部の厚みを薄くすることができる。つまり、２つの異なる方向を向いたカメラを搭載しながら携帯電話機のさらなる薄型化できるという効果がある。
【００９８】
また、上記第１筐体３００Ａの表示画面側と反対の側および第２筐体３００Ｂの操作面側と反対の側が向き合うように第１筐体３００Ａと第２筐体３００Ｂとを逆に折り畳んだ状態にすることによって、第１カメラ３０１の使用時に表示部３１２の表示画面で撮影する被写体の画像を容易に確認することが可能となる。
【００９９】
また、上記第１，第２レンズ部３２２Ａ，３２２Ｂは、レンズを容易に脱着可能とする第１，第２レンズ脱着手段を設けることも可能である。または、第１，第２レンズ部３２２Ａ，３２２Ｂのみスライドさせてカメラ性能を変えられるレンズ選択手段の一例としての機構を設けることも可能である。この場合、望遠撮影や接写撮影などの様々な撮影用途のレンズを備えることができるので、撮像範囲を広げることができる。
【０１００】
また、従来では、くの字状に折り曲げた状態（完全には閉じない状態）でカメラユニットとして使用する必要があるが、この発明では折り畳んだ状態（使用していない状態）でカメラユニットとして使用できる。その結果、従来のくの字状に開いた状態よりも本体を持つ手の位置とカメラの位置がより近くなって撮像時のぶれを低減でき、さらに、従来に比べて折り畳んだ状態であるため、コンパクト化が可能であり、片手でも撮像操作は可能である。なお、この第３実施形態では、カメラ操作部３１１を表示画面の下部（連結部３００Ｃ近傍）に設けたが、表示部３１２表面のタッチパネル形式のスイッチをカメラ操作部として利用してもよい。この場合、部品点数が低減できると共に、操作面が滑らかになるという効果がある。
【０１０１】
さらに、カメラ操作部３１１を第１筐体または第２筐体の下部側端部（側面の連結部３００Ｃ近傍）に設けてもよい。この場合は、片手撮影が一層容易となる。
【０１０２】
また、上記第１光センサー部３１３Ａは、第１レンズ部３２２Ａと光軸が略一致するように重なり合って配置されており、一体となってカメラユニットを構成し、上記第２光センサー部３１３Ｂは、第２レンズ部３２２Ｂと光軸が略一致するように重なり合って配置されており、一体となってカメラユニットを構成している。このように光センサー部とレンズ部を組み合わせて互いの光軸を略一致させることによって、ピントの合った画像を撮像できる。
【０１０３】
なお、この第３実施形態では、第１光センサー部３１３Ａは、第１光センサー素子３１４Ａと第１画像データ処理素子３１５Ａを第１実装基板３１６Ａに備えて構成されているが、第１光センサー部３１３Ａは、第１光センサー素子３１４Ａと第１画像データ処理素子３１５Ａを第１実装基板３１６Ａに備えて構成され、第２光センサー部３１３Ｂは、第２光センサー素子３１４Ｂと第２画像データ処理素子３１５Ｂを第２実装基板３１６Ｂに備えて構成されているが、光センサー素子と画像データ処理素子をＣＭＯＳイメージセンサー等で１チップ化した場合や、光センサー素子と画像データ処理素子をチップスタック技術により一体化し１素子とした場合は、携帯電話機を一層薄くすることができることは明らかである。
【０１０４】
（第４実施形態）
図７は、この発明の第４実施形態の折畳式携帯電話機の順折り畳み状態（閉状態）における側面断面図である。順折り畳み状態（閉状態）とは、メイン液晶・携帯電話機操作部（キーパット）を内側にして閉じている状態を示している。普段、電話使用外は、順折り畳み状態（閉状態）にしている場合が多い。この第４実施形態の折畳式携帯電話機では、第１筐体４００Ａの表面側に液晶（サブ液晶）あるいは有機ＥＬ等よりなるサブ表示部４１０を配置し、カメラ使用時にはそのサブ液晶を利用して撮影を行う。
【０１０５】
この折畳式携帯電話機は、メイン表示部４１２，カメラ操作部４１１を備えた第１筐体４００Ａと、携帯電話機操作部４２１（キーパット）を備えた第２筐体４００Ｂと、上記第１筐体４００Ａと第２筐体４００Ｂを回転自在に連結する連結部４００Ｃとを備えている。上記第２筐体４００Ｂは、連結部４００Ｃに備えられたヒンジユニット（図示せず）を介して第１筐体４００Ａと回転可能に連結されている。
【０１０６】
また、上記第２筐体４００Ｂの表面側にサブ表示部４１０を配置し、サブ表示部４１０の表示画面の上側（連結部４００Ｃと反対の側）に第２レンズ部４２２Ｂを配置し、サブ表示部４１０の下側（連結部４００Ｃ側）に第１光センサー部４１３Ａを配置している。一方、上記第１筐体４００Ａは、メイン表示部４１２の下側（連結部４００Ｃ側）に第１レンズ部４２２Ａを配置し、メイン表示部４１２の上側（連結部４００Ｃと反対の側）に第２光センサー部４１３Ｂを配置している。
【０１０７】
上記第１光センサー部４１３Ａは、第１光センサー素子４１４Ａと第１画像データ処理素子４１５Ａを備え、後述の第１レンズ部４２２Ａと一体にすることで第１カメラ３０１として機能する。また、上記第２レンズ部４２２Ｂは、第２光センサー素子４１４Ｂと第２画像データ処理素子４１５Ｂを備え、第２光センサー部４１３Ｂと一体にすることで第２カメラ３０２として機能する。上記サブ表示部４１０の表示画面の下側（連結部４００Ｃ近傍）にシャッター操作や動作モード設定などのカメラ操作部４１１を配置している。
【０１０８】
なお、第１，第２光センサー素子４１４Ａ，４１４Ｂは、撮像対象（被写体）から発する光を受光して電気信号に変換する。また、第１，第２画像データ処理素子４１５Ａ，４１５Ｂは、撮像した画像データを、表示用画像データ，記憶用画像データ，拡大用画像データ等に画像データ処理するための素子である。
【０１０９】
また、上記第１筐体部４００Ａの表面側および裏面側に第１レンズ部４２２Ａのレンズ面の少なくとも一部が露出することにより光を通すことができる。上記第２筐体部４００Ｂの表面側および裏面側に第２レンズ部４２２Ｂのレンズ面の少なくとも一部が露出することにより光を通すことができる。また、第２光センサー部４１３Ｂはレンズからの光以外遮光されていなければならないため、第１筐体４００Ａと第２筐体４００Ｂは完全に閉じている必要がある。
【０１１０】
また、上記第１光センサー部４１３Ａは、第１レンズ部４２２Ａと光軸が略一致するように重なり合って配置されており、一体となってカメラユニットを構成し、上記第２光センサー部４１３Ｂは、第２レンズ部４２２Ｂと光軸が略一致するように重なり合って配置されており、一体となってカメラユニットを構成している。このように光センサー部とレンズ部を組み合わせて互いの光軸を略一致させることによって、ピントの合った画像を撮像できる。
【０１１１】
なお、この第４実施形態では、第１光センサー部４１３Ａは、第１光センサー素子４１４Ａと第１画像データ処理素子４１５Ａを第１実装基板４１６Ａに備えて構成され、第２光センサー部４１３Ｂは、第２光センサー素子４１４Ｂ）と第２画像データ処理素子４１５Ｂを第２実装基板４１６Ｂに備えて構成されているが、光センサー素子と画像データ処理素子をＣＭＯＳイメージセンサー等で１チップ化した場合や、光センサー素子と画像データ処理素子をチップスタック技術により一体化し１素子とした場合は、携帯電話機を一層薄くすることができることは明らかである。
【０１１２】
また、上記第１，第２レンズ部４２２Ａ，４２２Ｂは、レンズを容易に脱着可能とする第１，第２レンズ脱着手段を設けることも可能である。または、第１，第２レンズ部４２２Ａ，４２２Ｂのみスライドさせてカメラ性能を変えられるレンズ選択手段の一例としての機構を設けることも可能である。この場合、望遠撮影や接写撮影などの様々な撮影用途のレンズを備えることができるので、撮像範囲を広げることができる。
【０１１３】
また、上記第１筐体４００Ａの表示画面側および第２筐体４００Ｂの操作面側が向き合うように第１筐体４００Ａと第２筐体４００Ｂとを折り畳んだ状態であっても、サブ表示部４１０によって撮影する被写体の画像を確認することができる。
【０１１４】
なお、上記第３，第４実施形態では、２つの異なる方向を向いたカメラを搭載した折畳式携帯電話機について説明したが、２つのカメラを同じ方向に向けて、例えば立体画像などを撮像できるようにしてもよい。
【０１１５】
以上、折畳式携帯電話機にこの発明の折畳式カメラ装置を適用した場合について説明したが、折畳式の携帯機器であればよく、この発明の折畳式カメラ装置は、折畳式の携帯型ゲーム機、電子辞書、パーム形パーソナルコンピュータなど広い分野に適用可能である。
【０１１６】
【発明の効果】
以上より明らかなように、この発明の折畳式カメラ装置および折畳式携帯電話機によれば、搭載するカメラユニットの光センサー部とレンズ部を表示側の第１筐体と操作側の第２筐体に分離して構成したので、第１筐体と第２筐体を連結部を介して折り畳んだ状態の厚みを、従来のカメラユニットを搭載した折畳式の装置に比べて薄くでき、さらなる薄型化に対応することができる。
【０１１７】
また、この発明の折畳式携帯電話機によれば、２つの異なる方向を向いたカメラを搭載することによって、相手側／自分側を携帯電話の向きを変えること無く撮影することが可能である。また、携帯電話機に搭載するカメラユニットの本体部とレンズ部のそれぞれを携帯電話の表示画面側の第１筐体と操作側の第２筐体に分離して構成したので、上記効果を持ったまま携帯電話機の厚みを従来のカメラユニットを搭載した携帯電話機に比べて薄くでき、さらなる薄型化に対応することができる。
【図面の簡単な説明】
【図１】図１はこの発明の第１実施形態の折畳式携帯電話機の開状態および閉状態（撮像時）における側面断面図である。
【図２】図２は上記折畳式携帯電話機の開状態（通話時）における側面断面図である。
【図３】図３（ａ）〜（ｃ）は上記折畳式携帯電話機の模式的に示した外観斜視図である。
【図４】図４はこの発明の第２実施形態の折畳式携帯電話機の閉状態（撮像時）における側面断面図である。
【図５】図５は上記折畳式携帯電話機の開状態（通話時）における側面断面図である。
【図６】図６はこの発明の第３実施形態の折畳式携帯電話機の逆折り畳み状態における側面断面図である。
【図７】図７はこの発明の第４実施形態の折畳式携帯電話機の収納状態における側面断面図である。
【図８】図８は従来の折畳式携帯電話機の外観図である。
【図９】図９は従来の他の折畳式携帯電話機の外観斜視図である。
【符号の説明】
１００Ａ…第１筐体
１００Ｂ…第２筐体
１００Ｃ…連結部
１１０…表示部
１１１…カメラ操作部
１１３…光センサー部
１１４…光センサー素子
１１５…画像データ処理素子
１１６…実装基板
１２０…表示部
１２１…携帯電話機操作部
１２２…レンズ部
２００Ａ…第１筐体
２００Ｂ…第２筐体
２００Ｃ…連結部
２１０…サブ表示部
２１１…カメラ操作部
２１２…メイン表示部
２１３…光センサー部
２１４…光センサー素子
２１５…画像データ処理素子
２１６…実装基板
２０…メイン表示部
２２１…携帯電話機操作部
２２２…レンズ部
３００Ａ…第１筐体
３００Ｂ…第２筐体
３００Ｃ…連結部
３０１…第１カメラ
３０２…第２カメラ
３１１…カメラ操作部
３１２…表示部
３１３Ａ…第１光センサー部
３１３Ｂ…第２光センサー部
３１４Ａ…第１光センサー素子
３１４Ｂ…第２光センサー素子
３１５Ａ…第１画像データ処理素子
３１５Ｂ…第２画像データ処理素子
３１６Ａ…第１実装基板
３１６Ｂ…第２実装基板
３２１…携帯電話機操作部
３２２Ａ…第１レンズ部
３２２Ｂ…第２レンズ部
４００Ａ…第１筐体
４００Ｂ…第２筐体
４００Ｃ…連結部
４０１…第１カメラ
４０２…第２カメラ
４１０…サブ表示部
４１１…カメラ操作部
４１３Ａ…第１光センサー部
４１３Ｂ…第２光センサー部
４１４Ａ…第１光センサー素子
４１４Ｂ…第２光センサー素子
４１５Ａ…第１画像データ処理素子
４１５Ｂ…第２画像データ処理素子
４１６Ａ…第１実装基板
４１６Ｂ…第２実装基板
４２０…メイン表示部
４２１…携帯電話機操作部
４２２Ａ…第１レンズ部
４２２Ｂ…第２レンズ部
【図１】
2004260676.tif 000003
【図２】
2004260676.tif 000004
【図３】
2004260676.tif 000005
【図４】
2004260676.tif 000006
【図５】
2004260676.tif 000007
【図６】
2004260676.tif 000008
【図７】
2004260676.tif 000009
【図８】
2004260676.tif 000010
【図９】
2004260676.tif 000011